(57)【要約】【課題】コネクタの保持作業を簡単化すること。【解決手段】コネクタ保持装置１０は、パネル９０に形成された貫通孔部９２に対して一方のコネクタ１４を保持する部材である。このコネクタ保持装置１０は、他方のコネクタ１６に対する接続方向における後端部から電線が延出した一方のコネクタ１４を、他方のコネクタ１６に接続される前端部を前方に向けて挿入可能で且つ前後両方向に移動規制して保持可能に形成されている第１保持部２６と、第１保持部２６を貫通孔部９２に対して支持可能な貫通孔取付部（２２、３０）とを備える。【選択図】図８
2014078333.tif 000002
【特許請求の範囲】
【請求項１】
パネルに形成された貫通孔部に対してコネクタを保持するコネクタ保持部材であって、
相手コネクタに対する接続方向における後端部から電線が延出したコネクタを、前記相手コネクタに接続される前端部側に向けて挿入可能で且つ前後両方向に移動規制して保持可能に形成されている保持部と、
前記保持部を前記貫通孔部に対して支持可能な貫通孔取付部と、
を備える、コネクタ保持部材。
【請求項２】
請求項１に記載のコネクタ保持部材であって、
前記保持部は、前記コネクタの接続方向前方を臨む端面に対して係止可能な前方側の係止部と、接続方向後方を臨む端面に対して係止可能な後方側の係止部とを含む、コネクタ保持部材。
【請求項３】
請求項１又は請求項２に記載のコネクタ保持部材であって、
前記後方側の係止部は、前記保持部に保持される前記コネクタの接続方向前方且つ内周側に延出して外周側に弾性変形可能に形成され、前記コネクタの接続方向後方を臨む端面に対して係止可能な弾性係止部を含む、コネクタ保持部材。
【請求項４】
請求項１から請求項３のいずれか一項に記載のコネクタ保持部材であって、
前記貫通孔取付部は、
前記保持部の外周側に設けられ、前記貫通孔部の内周側に配設可能な筒状の本体部と、
前記本体部の外周部から外周側に張り出して前記貫通孔部の開口縁部に対して少なくとも貫通方向一方側から係止可能な係止構造部と、
を含む、コネクタ保持部材。
【請求項５】
パネルに形成された貫通孔部に対して一対のコネクタを保持するコネクタ保持装置であって、
請求項１から請求項４のいずれか一項に記載のコネクタ保持部材を一対備え、
一対の前記コネクタ保持部材は、前記貫通孔部の貫通方向両側から前記パネルを挟んだ前記貫通孔部に対する取り付け状態で、一方の前記コネクタ保持部材の前記保持部に保持される一方のコネクタを、他方の前記コネクタ保持部材の前記保持部に保持される他方のコネクタに接続する、コネクタ保持装置。
【発明の詳細な説明】
【技術分野】
【０００１】
この発明は、パネルに形成された貫通孔部に対してコネクタを保持する技術に関する。
【背景技術】
【０００２】
コネクタ保持部材は、パネルに形成された貫通孔部に対してコネクタを保持する部材である。特許文献１には、車体とドアとの間に配索されるワイヤーハーネスのドア側コネクタと嵌合可能なパネル側コネクタハウジングを有する待受けコネクタが開示されている。この待受けコネクタは、パネル側コネクタハウジングがパネル取付部材により保持され、このパネル取付部材がパネルに取り付けられている。
【先行技術文献】
【特許文献】
【０００３】
【特許文献１】特開２０１１−２２２２２９号公報
【発明の概要】
【発明が解決しようとする課題】
【０００４】
しかしながら、特許文献１の技術では、パネル側コネクタハウジングが、パネル取付部材に対して、電線の末端に接続された雄型端子金具が装着されている端子収容部としての後方部分側から挿入される。このため、パネル側コネクタハウジングをパネル取付部材に挿入する際にパネル側コネクタハウジングから延出する電線を全てパネル取付部に挿通させる、若しくは、パネル側コネクタハウジングをパネル取付部材に挿入した後に電線が接続された雄型端子金具を挿入する必要があり、コネクタの保持作業が面倒であった。
【０００５】
そこで、本発明は、コネクタの保持作業を簡単化することを目的とする。
【課題を解決するための手段】
【０００６】
第１の態様は、パネルに形成された貫通孔部に対してコネクタを保持するコネクタ保持部材であって、相手コネクタに対する接続方向における後端部から電線が延出したコネクタを、前記相手コネクタに接続される前端部側に向けて挿入可能で且つ前後両方向に移動規制して保持可能に形成されている保持部と、前記保持部を前記貫通孔部に対して支持可能な貫通孔取付部とを備える。
【０００７】
第２の態様は、第１の態様に係るコネクタ保持部材であって、前記保持部は、前記コネクタの接続方向前方を臨む端面に対して係止可能な前方側の係止部と、接続方向後方を臨む端面に対して係止可能な後方側の係止部とを含む。
【０００８】
第３の態様は、第１又は第２の態様に係るコネクタ保持部材であって、前記後方側の係止部は、前記保持部に保持される前記コネクタの接続方向前方且つ内周側に延出して外周側に弾性変形可能に形成され、前記コネクタの接続方向後方を臨む端面に対して係止可能な弾性係止部を含む。
【０００９】
第４の態様は、第１から第３のいずれか一態様に係るコネクタ保持部材であって、前記貫通孔取付部は、前記保持部の外周側に設けられ、前記貫通孔部の内周側に配設可能な筒状の本体部と、前記本体部の外周部から外周側に張り出して前記貫通孔部の開口縁部に対して少なくとも貫通方向一方側から係止可能な係止構造部とを含む。
【００１０】
第５の態様は、パネルに形成された貫通孔部に対して一対のコネクタを保持するコネクタ保持装置であって、第１から第４のいずれか一態様に係るコネクタ保持部材を一対備え、一対の前記コネクタ保持部材は、前記貫通孔部の貫通方向両側から前記パネルを挟んだ前記貫通孔部に対する取り付け状態で、一方の前記コネクタ保持部材の前記保持部に保持される一方のコネクタを、他方の前記コネクタ保持部材の前記保持部に保持される他方のコネクタに接続する。
【発明の効果】
【００１１】
第１の態様に係るコネクタ保持部材によると、相手コネクタに対する接続方向における後端部から電線が延出したコネクタを、相手コネクタに接続される前端部側に向けて挿入可能で且つ前後両方向に移動規制して保持可能に形成されている保持部と、保持部を貫通孔部に対して支持可能な貫通孔取付部とを備えている。このため、コネクタの後端部から延出する電線を保持部に挿通する作業又は保持部によりコネクタを保持した後に端子をコネクタに挿入する作業を省略して、コネクタの保持作業を簡単化することができる。
【００１２】
第２の態様に係るコネクタ保持部材によると、保持部がコネクタの接続方向前方を臨む端面に対して係止可能な前方側の係止部と、接続方向後方を臨む端面に対して係止可能な後方側の係止部とを含むため、より確実にコネクタを保持することができる。
【００１３】
第３の態様に係るコネクタ保持部材によると、後方側の係止部が、保持部に保持されるコネクタの接続方向前方且つ内周側に延出して外周側に弾性変形可能に形成され、コネクタの接続方向後方を臨む端面に対して係止可能な弾性係止部を含む。このため、コネクタを、弾性係止部を弾性変形させつつ、保持部に対して接続方向後方側から前端側に向けて挿入することができ、コネクタの保持作業をよりスムーズにすることができる。
【００１４】
第４の態様に係るコネクタ保持部材によると、貫通孔取付部が、保持部の外周側に設けられて貫通孔部の内周側に配設可能な筒状の本体部と、本体部の外周部から外周側に張り出して貫通孔部の開口縁部に対して少なくとも貫通方向一方側から係止可能な係止構造部とを含んでいるため、より確実にコネクタを貫通孔部に保持することができる。
【００１５】
第５の態様に係るコネクタ保持装置によると、第１から第４のいずれか一態様に係るコネクタ保持部材を一対備え、一対のコネクタ保持部材は、貫通孔部の貫通方向両側からパネルを挟んだ貫通孔部に対する取り付け状態で、一方のコネクタ保持部材の保持部に保持される一方のコネクタを、他方の前記コネクタ保持部材の保持部に保持される他方のコネクタに接続するように構成されている。このため、それぞれのコネクタの後端部から延出する電線を保持部に挿通する作業又は保持部によりコネクタを保持した後に端子をコネクタに挿入する作業を省略して、コネクタの保持作業を簡単化することができる。そして、より確実に一対のコネクタを貫通孔部に保持することができる。
【図面の簡単な説明】
【００１６】
【図１】コネクタ保持装置の斜視図である。
【図２】ワイヤーハーネスのコネクタ接続部分を示す斜視図である。
【図３】ワイヤーハーネスのコネクタ接続部分を示す斜視図である。
【図４】第１コネクタ保持部材の斜視図である。
【図５】第２コネクタ保持部材の斜視図である。
【図６】コネクタ保持装置の平面図である。
【図７】図６のＶＩＩ−ＶＩＩ線断面図である。
【図８】コネクタを挿入した第１コネクタ保持部材及び第２コネクタ保持部材を示す断面図である。
【図９】コネクタを挿入した第１コネクタ保持部材及び第２コネクタ保持部材を示す斜視図である。
【図１０】コネクタを挿入した第１コネクタ保持部材及び第２コネクタ保持部材を示す斜視図である。
【図１１】第１コネクタ保持部材を貫通孔部に取り付けた状態を示す平面図である。
【図１２】第１コネクタ保持部材に第２コネクタ保持部材を組み合わせた状態を示す平面図である。
【図１３】図１２のＸＩＩＩ−ＸＩＩＩ線断面図である。
【図１４】コネクタ保持装置の斜視図である。
【図１５】止水部材を備えるコネクタ保持装置を示す平面図である。
【図１６】止水部材を備えるコネクタ保持装置を示す平面図である。
【発明を実施するための形態】
【００１７】
以下、実施形態に係るコネクタ保持装置１０について説明する（図１、図１４参照）。コネクタ保持装置１０は、パネル９０に形成された貫通孔部９２に対してコネクタ１４、１６を保持する部材である。
【００１８】
＜コネクタ＞
説明の便宜上、一対のコネクタ１４、１６について説明しておく。一対のコネクタ１４、１６は、複数の雄端子又は雌端子を備え、相互に接続される雄コネクタ又は雌コネクタである。ここでは、一方のコネクタ１４が雄コネクタであり、他方のコネクタ１６が雌コネクタである。そして、この一対のコネクタ１４、１６は、パネル９０に形成された貫通孔部９２を通じて接続される。
【００１９】
ここでは、一対のコネクタ１４、１６は、自動車の車体とドアとの間に配索されるワイヤーハーネス１２に含まれるコネクタである例で説明する。すなわち、自動車の車体には、乗員が乗り降りするための乗降口が形成され、車体に対してドアがヒンジ等により乗降口を開閉可能に連結されている。また、車体側からドア側にワイヤーハーネス１２を挿通配索するために、車体のフロントピラーを構成するパネル９０には、貫通孔部９２が形成されている。例えば、パネル９０は、厚さ６．５ｍｍの金属パネルである。また、ここでは、貫通孔部９２は、略楕円形（より具体的には一対の弧状部を一対の直線部が結ぶ形状）に形成されている。以下、貫通孔部９２の貫通方向における向きについて、ドア側を一方側、その反対側を他方側と呼ぶことがある。
【００２０】
そして、ワイヤーハーネス１２は、貫通孔部９２を通じて、車体側からドア側に配索される。このワイヤーハーネス１２は、貫通孔部９２を通じて接続される車体側ワイヤーハーネス１３とドア側ワイヤーハーネス１５とを有している。すなわち、車体に配索される車体側ワイヤーハーネス１３には一方のコネクタ１４が設けられ、ドアに配索されるドア側ワイヤーハーネス１５には一方のコネクタ１４に接続される他方のコネクタ１６が設けられている。なお、ここでは、一方のコネクタ１４及び他方のコネクタ１６は、ワイヤーハーネス１２を構成する回路の数、貫通孔部９２の径及びパネル９０の板圧ごとに専用に設計される専用品ではなく、一律に用いられる汎用品であるものとする。
【００２１】
より具体的には、一方のコネクタ１４は、フード部１４２と、端子収容部１４４と、連結部１４６とを有する雄コネクタである。フード部１４２は、一方のコネクタ１４のうちの他方のコネクタ１６に対する接続方向前方側に設けられ、他方のコネクタ１６の前方側部分を内側に収容する部分である。このフード部１４２は、内側に接続方向前方に開口する略直方体状の空間を有する略直方体筐状に形成されている。端子収容部１４４は、車体側に配索される電線に接続された複数の雄端子が挿入収容される複数のキャビティ（図示省略）が形成された部分である。また、端子収容部１４４は、略直方体形状に形成され、接続方向においてフード部１４２の後方で且つ一方のコネクタ１４の後端側部分に設けられている。すなわち、一方のコネクタ１４では、端子収容部１４４のキャビティに挿入された雄端子に接続されている電線が、相手コネクタである他方のコネクタ１６に対する接続方向における後端部から延出している。そして、端子収容部１４４に挿入された雄端子は、先端部がフード部１４２の内側に突出する形態で収容される。フード部１４２の外部形状は、コネクタ１４、１６同士の接続方向に直交する断面視において、端子収容部１４４の外部形状より大きく形成されている。そして、一方のコネクタ１４の一側面のうちのフード部１４２と端子収容部１４４との境界部分には、接続方向における一方のコネクタ１４の後方に臨む端面が形成されている。また、一方のコネクタ１４の他側面（一側面の背面）には、ブラケット、クランプ等の車体固定用部材を連結するために形成された連結部１４６が設けられている。この連結部１４６は、フード部１４２及び端子収容部１４４から他側面側に突出する形状に形成され、コネクタ１４、１６同士の接続方向に臨む端面を複数有している。例えば、連結部１４６は、車体固定用部材を接続方向にスライド嵌合可能な形状に形成されている。
【００２２】
また、他方のコネクタ１６は、外部形状が全体として略直方体形状に形成され、端子収容部１６２と、操作部１６４、１６６とを有する雌コネクタである。端子収容部１６２は、略直方体形状に形成され、ドア側に配索される電線に接続された複数のメス端子が挿入収容される複数のキャビティ（図示省略）が形成された部分である。すなわち、他方のコネクタ１６では、端子収容部１６２のキャビティに挿入された雌端子に接続されている電線が、一方のコネクタ１４に対する接続方向における後端部から延出している。また、端子収容部１６２は、他方のコネクタ１６のうちの一方のコネクタ１４に対する接続方向前方側部分が一方のコネクタ１４のフード部１４２の内側に配設可能に形成されている。操作部１６４、１６６は、一方のコネクタ１４に対する他方のコネクタ１６の着脱作業等において押す、引っ張る等の操作力を作用させるための部分である。操作部１６４は、端子収容部１６２の接続方向後端部における一側面から外周側に張り出し、接続方向に直交する扁平なリブ状に形成されている。また、操作部１６６は、端子収容部１６２の接続方向後端部における他側面（一側面の背面）から外周側に張り出している。操作部１６４、１６６は、接続方向両側に臨む端面を有している。
【００２３】
そして、本コネクタ保持装置１０は、一方のコネクタ１４と他方のコネクタ１６とを保持した状態で貫通孔部９２に取り付けられ、双方を接続するように構成されている。
【００２４】
＜コネクタ保持部材の構成＞
以下、一例として、第１コネクタ保持部材２０と、第２コネクタ保持部材４０とを備えるコネクタ保持装置１０について説明する。概略的には、コネクタ保持装置１０は、第１コネクタ保持部材２０に一方のコネクタ１４を保持すると共に第２コネクタ保持部材４０に他方のコネクタ１６を保持した状態で、第１コネクタ保持部材２０及び第２コネクタ保持部材４０を貫通孔部９２の開口縁部に取り付けることにより、一方のコネクタ１４と他方のコネクタ１６とを接続するように構成されている。
【００２５】
第１コネクタ保持部材２０は、第１本体部２２と、第１保持部２６と、貫通孔取付部としての第１係止構造部３０とを有している（図４参照）。また、第２コネクタ保持部材４０は、第２本体部４２と、第２保持部４６と、貫通孔取付部としての第２係止構造部５０とを有している（図５参照）。
【００２６】
第１本体部２２は、ワイヤーハーネス１２と貫通孔部９２の開口縁部との間に介在して、開口縁部から主として一方のコネクタ１４を保護する部分である。この第１本体部２２は、後述する第１保持部２６の外周側に設けられ、貫通孔部９２の内周側に配設可能に形成されている。すなわち、第１本体部２２は、貫通孔部９２と同じかそれより小さい（ここでは僅かに小さい）外周形状に形成されている。ここでは、第１本体部２２は、貫通孔部９２の形状に対応して、外形が断面視略楕円形状（より具体的には、一対の弧状部の両端部を一対の直線部が結ぶ形状）の筒状に形成されている。以下、第１コネクタ保持部材２０の方向を説明する際に、第１本体部２２の貫通方向を基準に説明することがあり、第１保持部２６に保持される一方のコネクタ１４の接続方向前方を貫通方向前方、接続方向後方を貫通方向後方ということがある。
【００２７】
第１保持部２６は、一方のコネクタ１４を、相手コネクタである他方のコネクタ１６に接続される前端部側に向けて挿入可能で且つ前後方向に移動規制して保持可能に形成されている。この第１保持部２６は、一方のコネクタ１４を他方のコネクタ１６に対する接続方向が第１本体部２２の貫通方向に沿う姿勢で保持可能に形成されている。より具体的には、第１保持部２６は、一方のコネクタ１４を第１本体部２２の貫通方向（他方のコネクタ１６との接続方向）に直交する方向においてなるべくがたつきなく（好ましくは移動不能に）保持可能に形成されている。
【００２８】
第１保持部２６は、第１本体部２２の内周側に設けられている。ここでは、第１保持部２６は、支持部２４によって第１本体部２２の内周側に保持される筐状部分を有している。この筐状部分は、第１本体部２２の貫通方向に貫通する略矩形筒状を成している。そして、第１保持部２６は、一方のコネクタ１４の側面に面接触可能な対向する一対の壁部（筐状部分の内壁部）を有している。また、筐状部分のうちの一対の壁部に連続する一方の壁部も、一方のコネクタ１４の連結部１４６の外面に接触する位置に設けられている。
【００２９】
また、第１保持部２６は、一方のコネクタ１４に対して第１本体部２２の貫通方向（他方のコネクタ１６との接続方向）の前方又は後方から係止可能に形成されている。より具体的には、第１保持部２６は、一方のコネクタ１４のうちの接続方向前方を臨む端面（好ましくは接続方向に直交する端面）に対して前方側から係止可能な前方側の係止部と、接続方向後方を臨む端面（好ましくは接続方向に直交する端面）に対して後方側から係止可能な後方側の係止部を有している。ここでは、第１保持部２６は、前方側の係止部である固定係止部２６２と、後方側の係止部である弾性係止部２６４とを有し、一方のコネクタ１４に対して接続方向両側から係止可能に形成されている。
【００３０】
固定係止部２６２は、一方のコネクタ１４の接続方向前方への移動を規制する部分である。この固定係止部２６２は、筐状部分から内周側に張り出す形状に形成されている。そして、固定係止部２６２は、一方のコネクタ１４の接続方向前端部のうちの平行な一対の側縁部に対して、接続方向前方側から係止する。より具体的には、固定係止部２６２は、第１本体部２２の貫通方向に直交して後方を向く係止面を有している。ここでは、固定係止部２６２は、第１保持部２６に挿入される一方のコネクタ１４のうちの接続方向前端縁部に対して前方側から係止可能に設けられている。
【００３１】
弾性係止部２６４は、一方のコネクタ１４の接続方向後方への移動を規制する部分である。この弾性係止部２６４は、一方のコネクタ１４を保持するために第１保持部２６に挿入する際に、外周側に弾性変形可能に形成されている。より具体的には、弾性係止部２６４は、筐状部分から一方のコネクタ１４の接続方向前方（第１本体部２２の貫通方向前方）且つ内周側に延出し、前端部が自由端となって外周側に弾性変形可能に形成されている。また、弾性係止部２６４は、第１本体部２２の貫通方向後方側且つ内周側を向く傾斜面を有している。この傾斜面は、一方のコネクタ１４が第１コネクタ保持部材２０に挿入された際に、一方のコネクタ１４によって押圧される面である。すなわち、弾性係止部２６４は、第１本体部２２の後方側から一方のコネクタ１４が挿入されると、傾斜面に当接した一方のコネクタ１４に押されて外周側に弾性変形し、フード部１４２を乗り越えたところで元の形状に弾性復帰する。そして、弾性係止部２６４は、一方のコネクタ１４の接続方向後方を臨む端面に対して後方側から係止可能となっている。すなわち、弾性係止部２６４は、一方のコネクタ１４のフード部１４２と端子収容部１４４との境界の段差部分に対して、接続方向後方側から係止する。より具体的には、弾性係止部２６４は、第１本体部２２の貫通方向に直交して前方を向く係止面を有している。この弾性係止部２６４の係止面は、固定係止部２６２の係止面との間に一方のコネクタ１４の接続方向におけるフード部１４２の寸法と同じかそれより大きい（ここでは僅かに大きい）間隔をあけて設けられている。
【００３２】
第２本体部４２は、ワイヤーハーネス１２と貫通孔部９２の開口縁部との間に介在して、開口縁部から主として他方のコネクタ１６を保護する部分である。この第２本体部４２は、後述する第２保持部４６の外周側に設けられ、貫通孔部９２の内周側に配設可能に形成されている。すなわち、第２本体部４２は、貫通孔部９２と同じかそれより小さい（ここでは小さい）外周形状に形成されている。ここでは、第２本体部４２は、貫通孔部９２の形状に対応して、外形が断面視略楕円形状（より具体的には、一対の弧状部の両端部を一対の直線部が結ぶ形状）の筒状に形成されている。以下、第２コネクタ保持部材４０の方向を説明する際に、第２本体部４２の貫通方向を基準に説明することがあり、第２保持部４６に保持される他方のコネクタ１６の接続方向前方を貫通方向前方、接続方向後方を貫通方向後方ということがある。
【００３３】
第２保持部４６は、第２本体部４２の内周側に設けられ、他方のコネクタ１６を接続方向前端部側に向けて挿入可能で且つ他方のコネクタ１６を前後両方向に移動規制可能に保持可能に形成されている（図７、図８参照）。この第２保持部４６は、他方のコネクタ１６を一方のコネクタ１４に対する接続方向が第２本体部４２の貫通方向に沿う姿勢で保持可能に形成されている。また、第２保持部４６は、他方のコネクタ１６を第２本体部４２の貫通方向（一方のコネクタ１４との接続方向）に直交する方向においてなるべくがたつきなく（好ましくは移動不能に）保持可能に形成されている。ここでは、第２保持部４６は、第２本体部４２の内周部のうちの中心軸方向後端側部分に、他方のコネクタ１６の外周面に対して挿入途中で接触可能な部分環状の内周面を有する。この内周面は、他方のコネクタ１６の接続方向における投影形状に対応した形状（投影形状より僅かに大きい略相似形状）に形成されている。この内周面によって、他方のコネクタ１６を第２コネクタ保持部材４０に挿入する際のガイドが行われる。また、この内周面は、第２本体部４２の貫通方向後端部で外周側に拡がる形状に形成されている。また、第２保持部４６は、他方のコネクタ１６の接続方向に延在する４つの角部において隣接する外面の一部分にそれぞれ面接触可能な断面視Ｌ字状の内面を有している。
【００３４】
また、第２保持部４６は、他方のコネクタ１６に対して第２本体部４２の貫通方向（一方のコネクタ１４との接続方向）の前方又は後方から係止可能に形成されている。より具体的には、第２保持部４６は、他方のコネクタ１６のうちの接続方向前方又は後方を臨む端面（好ましくは接続方向に直交する端面）に対して前方側または後方側から係止可能に形成されている。ここでは、第２保持部４６は、固定係止部４６２と、弾性係止部４６４、４６６とを有し、他方のコネクタ１６に対して接続方向両側から係止可能に形成されている。
【００３５】
固定係止部４６２は、他方のコネクタ１６の接続方向前方への移動を規制する部分である。この固定係止部４６２は、上述した部分環状の内周面から内周側に張り出す形状に形成されている。そして、固定係止部４６２は、他方のコネクタ１６の接続方向前端部のうちの一側縁部に対して、接続方向前方側から係止する。より具体的には、固定係止部４６２は、第２本体部４２の貫通方向に直交して後方を向く係止面を有している。ここでは、固定係止部４６２は、第２保持部４６に挿入される他方のコネクタ１６の操作部１６４の接続方向前端面に対して前方側から係止可能に設けられている。
【００３６】
弾性係止部４６４、４６６は、他方のコネクタ１６の接続方向後方への移動を規制する部分である。この弾性係止部４６４、４６６は、他方のコネクタ１６を保持するために第２保持部４６に挿入する際に、外周側に弾性変形可能に形成されている。より具体的には、弾性係止部４６４、４６６は、部分環状の内周面から他方のコネクタ１６の接続方向前方（第２本体部４２の貫通方向前方）且つ内周側に延出し、前端側部分が自由端となって外周側に弾性変形可能に形成されている。また、弾性係止片４６４、４６６は、第２本体部４２の貫通方向後方側且つ内周側を向く傾斜面を有している。この傾斜面は、他方のコネクタ１６が第２コネクタ保持部材４０に挿入された際に、他方のコネクタ１６の操作部１６４、１６６によって押圧される面である。
【００３７】
より具体的には、弾性係止部４６４は、第２保持部４６に挿入される他方のコネクタ１６の操作部１６４の接続方向後端面に対して後方側から係止可能に設けられている。この弾性係止部４６４は、第２本体部４２の貫通方向に直交して前方を向く係止面を有している。この弾性係止部４６４の係止面は、固定係止部４６２の係止面との間に他方のコネクタ１６の接続方向における操作部１６４の寸法と同じかそれより大きい（ここでは僅かに大きい）間隔をあけて設けられている。
【００３８】
また、弾性係止部４６６は、第２保持部４６に挿入される他方のコネクタ１６の操作部１６６の接続方向後端面に対して後方側から係止可能に設けられている。この弾性係止部４６６は、第２本体部４２の貫通方向に直交して前方を向く係止面を有している。
【００３９】
そして、弾性係止部４６４、４６６は、第２本体部４２の後方側から他方のコネクタ１６が挿入されると、傾斜面に当接した他方のコネクタに押されて外周側に弾性変形し、それぞれ操作部１６４、１６６を乗り越えたところで元の形状に弾性復帰する。これにより、弾性係止部４６４、４６６は、それぞれ他方のコネクタ１６の操作部１６４、１６６に対して、接続方向後方側から係止する。
【００４０】
ここで、第１本体部２２と第２本体部４２との関係について説明しておく。第１本体部２２と第２本体部４２とは、第１コネクタ保持部材２０及び第２コネクタ保持部材４０の貫通孔部９２に対する取り付け状態で、第１保持部２６に保持される一方のコネクタ１４と第２保持部４６に保持される他方のコネクタ１６との接続状態において、一方のコネクタ１４と他方のコネクタ１６との接続方向の各前方側部分が内外方向に重なるように形成されている（図１２、図１３参照）。すなわち、第１本体部２２と第２本体部４２とは、一方が他方の内周側に挿入される。これにより、内外方向に重なった第１本体部２２及び第２本体部４２の内外方向における強度を向上させることができる。
【００４１】
ここでは、一方のコネクタ１４が、他方のコネクタ１６より先にパネル９０に保持される待受けコネクタである。このため、車体側ワイヤーハーネス１３に設けられた一方のコネクタ１４を予め貫通孔部９２に対して所定の位置に保持しておいた状態で、ドア側ワイヤーハーネス１５に設けられた他方のコネクタ１６を一方のコネクタ１４に接続する。すなわち、第１コネクタ保持部材２０を貫通孔部９２に取り付けてから、貫通孔部９２に第２コネクタ保持部材４０を取り付けて第１コネクタ保持部材２０と第２コネクタ保持部材４０とを組み合わせる。このため、貫通孔部９２に対して第１コネクタ保持部材２０だけが取り付けられた状態でも安定した取り付け状態を維持することができるようになっていることが好ましい。
【００４２】
そこで、第１コネクタ保持部材２０及び第２コネクタ保持部材４０は、第１コネクタ保持部材２０及び第２コネクタ保持部材４０の貫通孔部９２に対する取り付け状態において、第１本体部２２の前方側部分が第２本体部４２の前方側部分の外周側に重なる形状に形成されている。すなわち、先に貫通孔部９２に取り付けられる第１コネクタ保持部材２０の第１本体部２２を第２本体部４２の外周側に配設することにより、第１本体部２２の外周形状を貫通孔部９２に対応した形状（貫通孔部９２と同じかそれより僅かに小さい形状）に形成できる。そして、第２本体部４２の前方側部分が第１本体部２２の前方側部分の内周側に挿入される。好ましくは、第１本体部２２及び第２本体部４２は、第２本体部４２の外周形状が第１本体部２２の内周形状に対応した形状で該内周形状と同じかそれより僅かに小さく設定されているとよい。
【００４３】
また、第１本体部２２は、内周側に配設される第２本体部４２の前方側部分から外周側に張り出す第２係止部５２を避ける形状に形成されている。より具体的には、第１本体部２２は、第１コネクタ保持部材２０と第２コネクタ保持部材４０との組み合わせ状態において一対の第２係止部５２に対応する位置（内外方向に重複する位置）に前方側に開口する第１凹部２３を有している（図９、図１０参照）。すなわち、第１コネクタ保持部材２０と第２コネクタ保持部材４０との組み合わせ状態において、一対の第２係止部５２は一対の第１凹部２３の内側にそれぞれ配設される。
【００４４】
また、第１本体部２２と第１保持部２６とは、一対の支持部２４によって連結されている。より具体的には、一対の支持部２４は、第１本体部２２の各弧状部分から内周側に延出して第１保持部２６（筐状部分）の外周部に連なっている。そして、第２本体部４２は、第１本体部２２の内周側に位置する一対の支持部２４を避ける形状に形成されている。より具体的には、第２本体部４２は、第１コネクタ保持部材２０と第２コネクタ保持部材４０との組み合わせ状態において一対の支持部２４に対応する位置（内外方向に重複する位置）に前方側に開口する第２凹部４３を有している。すなわち、第１コネクタ保持部材２０と第２コネクタ保持部材４０との組み合わせ状態において、一対の支持部２４は一対の第２凹部４３の内側にそれぞれ配設される。
【００４５】
第１係止構造部３０は、第１本体部２２の外周部から外周側に張り出して、貫通孔部９２の開口縁部に対して少なくとも貫通方向一方側から係止可能に形成された部分である。この第１係止構造部３０は、第１係止部３２と、第１抜止め部３６とを有している（図６参照）。
【００４６】
第１係止部３２は、第１保持部２６に保持される一方のコネクタ１４の外周周りに部分的に設けられ、一方のコネクタ１４の接続方向後方側に係止面を有すると共に貫通孔部９２の開口縁部に対して貫通方向一方側から係止可能に形成されている。より具体的には、第１係止部３２は、第１本体部２２の外周部から周方向において部分的に外周側に張り出している（図７参照）。この第１係止部３２は、第１保持部２６に保持される一方のコネクタ１４と第２コネクタ保持部材４０の第２保持部４６に保持される他方のコネクタ１６とが接続される接続方向において第１本体部２２のうちの前方側部分に設けられている。より具体的には、第１係止部３２は、第１本体部２２の外周部のうちの前端部から外周側に張り出しつつ後方に向けて延在し、後端側部分が自由端となる形状に形成されている。そして、第１係止部３２は、前方側且つ外周側を向く傾斜面を有し、内周側に弾性変形可能となっている。また、第１係止部３２は、第１本体部２２の貫通方向に直交して後方を向く係止面を有している。好ましくは、第１係止部３２は、第１本体部２２の周方向において等間隔に複数設けられているとよい。ここでは、第１係止部３２は、第１本体部２２の周方向において一対の弧状部の各中間部分に、すなわち等間隔に２箇所に設けられている。
【００４７】
第２係止構造部５０は、第２本体部４２の外周部から外周側に張り出して貫通孔部９２の開口縁部に対して少なくとも貫通方向他方側から係止可能に形成された部分である（図６参照）。この第２係止構造部５０は、第２係止部５２と、第２抜止め部５６とを有している。
【００４８】
第２係止部５２は、第２保持部４６に保持される他方のコネクタ１６の外周周りに部分的に設けられ、他方のコネクタ１６の接続方向後方側に係止面を有すると共に貫通孔部９２の開口縁部に対して貫通方向他方側から係止可能に形成されている。より具体的には、第２係止部５２は、第２本体部４２の外周部から周方向において部分的に外周側に張り出している。この第２係止部５２は、第２保持部４６に保持される他方のコネクタ１６と第２コネクタ保持部材４０の第２保持部４６に保持される他方のコネクタ１６とが接続される接続方向において第２本体部４２のうちの前方側部分に設けられている。より具体的には、第２係止部５２は、第２本体部４２の外周部のうちの前端部から外周側に張り出しつつ後方に向けて延在し、後端側部分が自由端となる形状に形成されている。そして、第２係止部５２は、前方側且つ外周側を向く係止面を有し内周側に弾性変形可能となっている。また、第２係止部５２は、第２本体部４２の貫通方向後方を向く係止面を有している。好ましくは、第２係止部５２は、第２本体部４２の周方向において等間隔に複数設けられているとよい。ここでは、第２係止部５２は、第２本体部４２の周方向において一対の直線部の各中間部分に、すなわち等間隔に２箇所に設けられている。
【００４９】
ここで、第１係止部３２と第２係止部５２との関係について説明しておく。第１係止部３２と第２係止部５２とは、第１コネクタ保持部材２０及び第２コネクタ保持部材４０の貫通孔部９２に対する取り付け状態で、第１保持部２６に保持される一方のコネクタ１４及び第２保持部４６第１本体部２２及び第２本体部４２の周方向において互いに重複しない位置に設けられている（図９、図１０参照）。また、第１係止部３２と第２係止部５２とは、第１コネクタ保持部材２０及び第２コネクタ保持部材４０の貫通孔部９２に対する取り付け状態で、第１保持部２６に保持される一方のコネクタ１４及び第２保持部４６に保持される他方のコネクタ１６の外周回りにおいて交互に位置するように設けられている。第１本体部２２又は第２本体部４２の周方向において交互に位置するように設けられている。さらに、第１係止部３２と第２係止部５２とは、第１本体部２２及び第２本体部４２の周方向（第１保持部２６に保持される一方のコネクタ１４及び第２保持部４６に保持される他方のコネクタ１６の外周周り）においてそれぞれ等間隔で設けられている。
【００５０】
第１係止部３２及び第２係止部５２は、第１保持部２６に保持された一方のコネクタ１４と第２保持部４６に保持された他方のコネクタ１６との接続状態において、貫通孔部９２の開口縁部に対して貫通方向両側から係止する位置に設けられている（図１２〜図１４参照）。すなわち、第１係止部３２及び第２係止部５２は、一方のコネクタ１４と他方のコネクタ１６との接続状態で、第１係止部３２と第２係止部５２とがそれぞれの係止面間にパネル９０の厚さ寸法と同じかそれより僅かに大きい間隔をあけて位置するように設定されている。そして、第１本体部２２の第１凹部２３及び第２本体部４２の第２凹部４３の深さ寸法（接続方向の寸法）は、第１係止部３２と第２係止部５２とが上記位置関係となるまで第１コネクタ保持部材２０と第２コネクタ保持部材４０とを近接させることが可能な大きさに設定されている。
【００５１】
第１抜止め部３６は、第１本体部２２の外周部から外周側に張り出し、貫通孔部９２の開口縁部に対して貫通方向他方側から係止可能に形成されている。第１抜止め部３６は、第１本体部２２の中心軸方向において、第１係止部３２の係止面に対して少なくともパネル９０の厚さ寸法より大きい間隔をあけた位置に設けられる。ここでは、第１抜止め部３６は、第１本体部２２の外周部のうちの接続方向後端部から外周側に鍔状に張り出す形状に形成されている。
【００５２】
第２抜止め部５６は、第２本体部４２の外周部から外周側に張り出し、貫通孔部９２の開口縁部に対して貫通方向一方側から係止可能に形成されている。第２抜止め部５６は、第２本体部４２の中心軸方向において、第２係止部５２の係止面に対して少なくともパネル９０の厚さ寸法より大きい間隔をあけた位置に設けられる。ここでは、第２抜止め部５６は、第２本体部４２の外周部のうちの接続方向後端部から外周側に鍔状に張り出す形状に形成されている。
【００５３】
＜コネクタ保持部材に対するコネクタの保持作業＞
次に、コネクタ保持装置１０に対するコネクタ１４、１６の保持作業について説明する（図７、図８参照）。
【００５４】
まず、一方のコネクタ１４を第１コネクタ保持部材２０に保持する。より具体的には、一方のコネクタ１４を第１保持部２６に対して、第１本体部２２の貫通方向後方から前方に向けて挿入する。この際、弾性係止部２６４は、第１保持部２６に挿入される一方のコネクタ１４の接続方向前端部に押動されて外周側に弾性変形する。そして、フード部１４２と端子収容部１４４との境界部分の段差が弾性係止部２６４の係止面を乗り越える位置まで一方のコネクタ１４が挿入されると、弾性係止部２６４は元の形状に弾性復帰する。最終的に、一方のコネクタ１４は、フード部１４２が固定係止部２６２と弾性係止部２６４とによって接続方向に挟まれた状態となり、接続方向両側において移動規制される。また、一方のコネクタ１４の接続方向に直交する方向の移動は、第１保持部２６の筐状部分の内壁面と弾性係止部２６４とによって規制される。
【００５５】
次に、他方のコネクタ１６を第２コネクタ保持部材４０に保持する。すなわち、より具体的には、他方のコネクタ１６を第２保持部４６に対して、第２本体部４２の貫通方向後方から前方に向けて挿入する。この際、弾性係止部４６４、４６６は、第２保持部４６に挿入される他方のコネクタ１６の操作部１６４、１６６によってそれぞれ押動されて外周側に弾性変形する。そして、操作部１６４、１６６がそれぞれ弾性係止部４６４、４６６の係止面を乗り越える位置まで他方のコネクタ１６が挿入されると、弾性係止部４６４、４６６は元の形状に弾性復帰する。最終的に、他方のコネクタ１６は、操作部１６４が固定係止部４６２と弾性係止部４６４に挟まれると共に操作部１６６が弾性係止部４６６により接続方向後方側に移動規制されることにより、接続方向両側において移動規制される。また、他方のコネクタ１６の接続方向に直交する方向の移動は、第２保持部４６の部分環状の内周部によって規制される。
【００５６】
そして、一方のコネクタ１４が保持された第１コネクタ保持部材２０と他方のコネクタ１６が保持された第２コネクタ保持部材４０とを、それぞれパネル９０の両側から貫通孔部９２に対して取り付けることにより、一方のコネクタ１４と他方のコネクタ１６とが接続される。すなわち、コネクタ保持装置１０は、第１コネクタ保持部材２０と第２コネクタ保持部材４０とにより貫通孔部９２の貫通方向両側からパネル９０を挟んだ貫通孔部９２に対する取り付け状態で、第１保持部２６に保持される一方のコネクタ１４と第２保持部に保持される他方のコネクタ１６とを接続できる。そして、第１コネクタ保持部材２０がパネル９０に対して貫通孔部９２の貫通方向他方側への移動を規制されると共に、第２コネクタ保持部材４０がパネル９０に対して貫通孔部９２の貫通方向一方側への移動を規制される。すなわち、第１コネクタ保持部材２０と第２コネクタ保持部材４０とは、貫通孔部９２の貫通方向に離間移動不能となり、組み合わせ状態に維持される。換言すると、第１コネクタ保持部材２０の第１保持部２６に保持された一方のコネクタ１４と第２コネクタ保持部材４０の第２保持部４６に保持された他方のコネクタ１６とは、接続された状態に維持される。
【００５７】
上記実施形態に係るコネクタ保持装置１０によると、他方のコネクタ１６（一方のコネクタ１４）に対する接続方向における後端部から電線が延出した一方のコネクタ１４（他方のコネクタ１６）を、他方のコネクタ１６（一方のコネクタ１４）に接続される前端部側に向けて挿入可能で且つ前後両方向に移動規制して保持可能に形成されている第１保持部２６（第２保持部４６）と、第１保持部２６（第２保持部４６）を貫通孔部９２に対して支持可能な貫通孔取付部とを備えている。このため、一方のコネクタ１４（他方のコネクタ１６）の後端部から延出する電線を第１本体部２２（第２本体部４２）に挿通する作業又は第１保持部２６（第２保持部４６）により一方のコネクタ１４（他方のコネクタ１６）を保持した後に端子を一方のコネクタ１４（他方のコネクタ１６）に挿入する作業を省略して、一方のコネクタ１４（他方のコネクタ１６）の保持作業を簡単化することができる。
【００５８】
また、第１保持部２６（第２保持部４６）が一方のコネクタ１４（他方のコネクタ１６）の接続方向前方を臨む端面に対して係止可能な前方側の係止部と接続方向後方を臨む端面に対して係止可能な後方側の係止部とを有しているため、より確実に一方のコネクタ１４（他方のコネクタ１６）を保持することができる。
【００５９】
また、後方側の係止部が、保持する一方のコネクタ１４（他方のコネクタ１６）の接続方向前方且つ内周側に延出して外周側に弾性変形可能に形成され、一方のコネクタ１４（他方のコネクタ１６）の接続方向後方を臨む端面に対して係止可能な弾性係止部２６４（弾性係止部４６４、４６６）である。このため、一方のコネクタ１４（他方のコネクタ１６）を第１保持部２６（第２保持部４６）に対して接続方向前端側から弾性係止部２６４（弾性係止部４６４、４６６）を弾性変形させつつ挿入することができ、一方のコネクタ１４（他方のコネクタ１６）の保持作業をよりスムーズにすることができる。
【００６０】
貫通孔取付部が、第１保持部２６（第２保持部４６）の外周側に設けられて貫通孔部９２の内周側に配設可能な筒状の第１本体部２２（第２本体部４２）と、第１本体部２２（第２本体部４２）の外周部から外周側に張り出して貫通孔部９２の開口縁部に対して少なくとも貫通方向一方側から係止可能な第１係止構造部３０（第２係止構造部５０）とを含んでいるため、より確実に一方のコネクタ１４（他方のコネクタ１６）を貫通孔部９２に保持することができる。
【００６１】
また、第１コネクタ保持部材２０により一方のコネクタ１４を保持すると共に、第２コネクタ保持部材４０により他方のコネクタ１６を保持する構成を採用しているため、各コネクタ１４、１６をそれぞれより確実にパネル９０に対して固定しておくことができる。
【００６２】
これまで、コネクタ保持装置１０が第１コネクタ保持部材２０と第２コネクタ保持部材４０とを備える例で説明してきたが、第１コネクタ保持部材２０又は第２コネクタ保持部材４０単体で用いられてもよい。
【００６３】
この場合、貫通孔部９２の開口縁部に対して貫通方向一方側から第１係止部３２が係止すると共に、第１抜止め部３６が貫通方向他方側から係止可能に設けられることにより、第１コネクタ保持部材２０の貫通孔部９２の貫通方向における移動が規制される。一方、上記実施例で説明してきたように、第１コネクタ保持部材２０と第２コネクタ保持部材４０とが組み合わされて用いられる場合、第１コネクタ保持部材２０の貫通孔部９２の貫通方向における移動規制は以下のようにして行われている。すなわち、第１コネクタ保持部材２０は、第１係止部３２により貫通孔部９２の貫通方向他方側への移動を規制され、貫通孔部９２に対して貫通方向一方側から取り付けられて第２係止部５２により貫通方向一方側への移動を規制される第２コネクタ保持部材４０により貫通方向一方側への移動を規制される。より具体的には、第１コネクタ保持部材２０及び第２コネクタ保持部材の貫通孔部９２に対する取り付け状態で、第１保持部２６に保持された一方のコネクタ１４が第２保持部４６に保持された他方のコネクタ１６と接続されるため、第１コネクタ保持部材２０は、コネクタ１４、１６を介して第２コネクタ保持部材４０により移動規制される。
【００６４】
また、固定係止部２６２、４６２及び弾性係止部２６４、４６４並びに４６６は、それぞれのコネクタ１４、１６を接続方向両側に移動規制可能に設けられていればよく、上述した数より多く又は少なく設けられていてもよい。また、固定係止部２６２、４６２及び弾性係止部２６４、４６４並びに４６６の位置も、それぞれのコネクタ１４、１６を接続方向両側に移動規制可能に設けられていれば、上述した位置に限られるものではない。
【００６５】
また、弾性係止部２６４、４６４及び４６６は、上述した形状に限られるものではなく、外周側に弾性変形して弾性復帰可能なものであればよく、例えばコネクタ１４、１６の保持用空間内に突出するゴム部材であってもよい。
【００６６】
また、第１コネクタ保持部材２０と第２コネクタ保持部材４０との組み合わせ状態において、２つの第１係止部３２と２つの第２係止部５２とが第１本体部２２及び第２本体部４２の周方向において交互に等間隔で設けられている例で説明してきたが、第１係止部３２及び第２係止部５２の配設形態は上記形態に限られるものではない。すなわち、第１係止部３２及び第２係止部は、それぞれ３以上の複数設けられていてもよいし、交互でない並び方で設けられていてもよい。また、第１係止部３２及び第２係止部５２は、第１本体部２２及び第２本体部４２の周方向においてそれぞれ異なる間隔で設けられていてもよい。
【００６７】
また、第１本体部２２と第２本体部４２とは、第１コネクタ保持部材２０と第２コネクタ保持部材４０との組み合わせ状態において第１本体部２２が第２本体部４２の外周側に重なる形状に限られるものではない。すなわち、第２本体部４２が第１本体部２２の外周側に重なる形状に形成されていてもよい。また、第１本体部２２と第２本体部４２とは、内外に重なる形状に形成されていなくてもよい。すなわち、第１本体部及び第２本体部の前方側部分が周方向に並ぶ凹凸形状に形成され、この第１本体部と第２本体部との前方側部分を凹凸嵌合する形態で突き合わせることにより第１コネクタ保持部材と第２コネクタ保持部材とを組み合わせる構成であってもよい。
【００６８】
また、貫通孔部９２における止水を図るための止水部材７０を備えるコネクタ保持装置１１０を採用することもできる（図１５、図１６参照）。止水部材７０は、密着部７２と、嵌合部７４と、筒状部７６とを有している。この止水部材７０は、エラストマー、ＥＰＤＭ（エチレンプロピレンジエンゴム）等を射出成型して形成されるとよい。
【００６９】
密着部７２は、貫通孔部９２の貫通方向において、第２抜止め部５６と貫通孔部９２の開口縁部との間に介在して貫通孔部９２の開口縁部に密着する部分である。この密着部７２は、貫通孔部９２の開口縁部に対して周方向全体に亘って接触可能な環状に形成されている。また、密着部７２は、環状の中心軸方向において第２係止部５２が貫通孔部９２の開口縁部に係止した状態におけるパネル９０と第２抜止め部５６との間隔より大きい寸法に設定されている。すなわち、密着部７２は、貫通孔部９２の開口縁部と第２抜止め部５６との間に挟まれた状態で、第２抜止め部５６により貫通孔部９２の開口縁部に押し付けられて密着する。ここでは、密着部７２は、内外方向において２つの環状接触部分を有している。例えば、密着部７２は、内周側でより強く貫通孔部９２の開口縁部に対して押し付けられる部分と、外周側でより広い範囲に面接触する部分とを有しているとよい。
【００７０】
嵌合部７４は、第２抜止め部５６の外周部に嵌合して第２コネクタ保持部材４０に対する止水部材７０の位置決めをする部分である。この嵌合部７４は、密着部７２に連続して環状に形成され、周方向全体に亘って内周側に開口する溝部７５を有している。嵌合部７４の溝部７５は、内側に第２コネクタ保持部材４０の第２抜止め部５６を配設可能に形成されている。そして、嵌合部７４の溝部７５の内側に第２抜止め部５６が配設されることにより、止水部材７０が第２コネクタ保持部材４０に取り付けられる。
【００７１】
筒状部７６は、ドア側ワイヤーハーネス１５の外周を覆う形状に形成された部分である。この筒状部７６は、嵌合部７４に連続した筒状に形成されている。また、筒状部７６は、ドア側ワイヤーハーネス１５のうちの車体からドアの間で配索される部分全体を覆う範囲に設けられているとよい。
【００７２】
このコネクタ保持装置１１０によると、貫通孔部９２における止水を図ることができる。
【００７３】
以上のように、コネクタ保持装置１０、１１０は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【００７４】
１０、１１０  コネクタ保持装置
１４  一方のコネクタ
１６  他方のコネクタ
２０  第１コネクタ保持部材
２２  第１本体部
２６  第１保持部
２６４  弾性係止部
３０  第１係止構造部
４０  第２コネクタ保持部材
４２  第２本体部
４６  第２保持部
４６４、４６６  弾性係止部
５０  第２係止構造部
９０  パネル
９２  貫通孔部
【図１】
2014078333.tif 000003
【図２】
2014078333.tif 000004
【図３】
2014078333.tif 000005
【図４】
2014078333.tif 000006
【図５】
2014078333.tif 000007
【図６】
2014078333.tif 000008
【図７】
2014078333.tif 000009
【図８】
2014078333.tif 000010
【図９】
2014078333.tif 000011
【図１０】
2014078333.tif 000012
【図１１】
2014078333.tif 000013
【図１２】
2014078333.tif 000014
【図１３】
2014078333.tif 000015
【図１４】
2014078333.tif 000016
【図１５】
2014078333.tif 000017
【図１６】
2014078333.tif 000018